(57)【要約】【課題】汎用性に優れ、眼鏡をかけた際の鼻に対するフィット性の向上を図ったパッドを提供する。【解決手段】眼鏡を支えるために鼻に接するパッド１００において、鼻に接するパッド本体部２２と、パッド本体部２２と眼鏡本体との間に設けられ、パッド本体部２２の位置を調節する位置調節部２１と、を備え、位置調節部２１は、眼鏡本体に繋がる側の端部の辺りを中心にして、塑性変形によって、パッド本体部２２に繋がる側の端部の位置を変更可能に構成されると共に、パッド本体部２２は、位置調節部２１に繋がる側の端部の辺りを中心にして、塑性変形によって、位置調節部２１に繋がる側とは反対側の端部の位置を変更可能に構成されることを特徴とする。【選択図】図２
2008145531.tif 000002
【特許請求の範囲】
【請求項１】
眼鏡を支えるために鼻に接するパッドにおいて、
鼻に接するパッド本体部と、
該パッド本体部と眼鏡本体との間に設けられ、該パッド本体部の位置を調節する位置調節部と、を備え、
該位置調節部は、眼鏡本体に繋がる側の端部の辺りを中心にして、塑性変形によって、前記パッド本体部に繋がる側の端部の位置を変更可能に構成されると共に、
前記パッド本体部は、前記位置調節部に繋がる側の端部の辺りを中心にして、塑性変形によって、該位置調節部に繋がる側とは反対側の端部の位置を変更可能に構成されることを特徴とするパッド。
【請求項２】
前記位置調節部は、前記パッド本体部に繋がる側の端部の位置を、眼鏡本体に対して近づけたり遠ざけたりする方向に変更することができ、かつ、該眼鏡本体に対して近づけたり遠ざけたりする方向に垂直な方向に対しても変更できるように構成されることを特徴とする請求項１に記載のパッド。
【請求項３】
前記パッド本体部は、前記位置調節部に繋がる側とは反対側の端部の位置を、前記位置調節部に対して近づけたり遠ざけたりする方向に変更することができ、かつ、該位置調節部に対して近づけたり遠ざけたりする方向に垂直な方向に対しても変更できるように構成されることを特徴とする請求項１または２に記載のパッド。
【請求項４】
前記パッド本体部は、該パッド本体部と前記位置調節部とが繋がる部分付近の塑性変形によって、該パッド本体部の側面が、眼鏡本体に対して近づけたり遠ざけたりする方向に傾けることができるように構成されることを特徴とする請求項１，２または３に記載のパッド。
【請求項５】
前記位置調節部は、位置調節部自体が塑性変形可能に構成されることを特徴とする請求項１〜４のいずれか一つに記載のパッド。
【請求項６】
前記パッド本体部は、パッド本体部自体が塑性変形可能に構成されることを特徴とする請求項１〜５のいずれか一つに記載のパッド。
【請求項７】
直線的な部分と、この直線的な部分の端部からＵ字状に折れ曲がり曲線的に湾曲した部分とを有する線状のしん材と、
該しん材における前記直線的な部分と湾曲した部分とを内部に埋め込むようにして設けられる樹脂部材と、を備えており、
前記樹脂部材のうち前記しん材の直線的な部分を内部に埋め込んだ部分が前記位置調節部を構成すると共に、
前記樹脂部材のうち前記しん材の湾曲した部分を内部に埋め込んだ部分が前記パッド本体部を構成することを特徴とする請求項１〜６のいずれか一つに記載のパッド。
【発明の詳細な説明】
【技術分野】
【０００１】
本発明は、眼鏡を支えるために鼻に接するパッドに関するものである。
【背景技術】
【０００２】
一般的に、眼鏡には、眼鏡を支えるために鼻に接するパッドが設けられている。かかるパッドは、リム，ブリッジまたはレンズなどの眼鏡本体に対して、眼鏡をかけた際に、鼻に接する位置に設けられる。
【０００３】
しかし、鼻の大きさ（高さや幅）や鼻梁の形は、人によって様々である。そのため、パッドの位置を調節できない眼鏡の場合には、眼鏡を適切な位置に支えることができなかったり、フィット性が悪かったりすることがあり、汎用性に欠ける。
【０００４】
そこで、汎用性を高めるために、パッド足の先端にパッドを設け、パッド足の部分を塑性変形させることによって、パッドの位置を微調整できる技術が知られている（特許文献１参照）。また、パッド足の先端を球形として、この球形部分に対してパッドを首振り自在に構成した技術も知られている（特許文献２参照）。
【０００５】
しかしながら、これらの従来技術においては、鼻の大きさや鼻梁の形に応じて、パッドが鼻に確実に接するように、その位置の調節はできるものの、パッドが鼻に接する位置によって、パッドにおける鼻に接する部分の位置はおおよそ一義的に定められてしまう。つまり、パッドにおける鼻に接する部分の形状や面積を自由に変えることはできない。従って、人によっては、フィット性が悪くなってしまうことがある。また、汎用性が十分であるとも言えない。
【特許文献１】実開昭５５−１３８６１６号公報
【特許文献２】実開平１−１４９６１４号公報
【発明の開示】
【発明が解決しようとする課題】
【０００６】
本発明の目的は、汎用性に優れ、眼鏡をかけた際の鼻に対するフィット性の向上を図ったパッドを提供することにある。
【課題を解決するための手段】
【０００７】
本発明は、上記課題を解決するために以下の手段を採用した。
【０００８】
すなわち、眼鏡を支えるために鼻に接するパッドにおいて、
鼻に接するパッド本体部と、
該パッド本体部と眼鏡本体（リム、ブリッジ、レンズなど）との間に設けられ、該パッド本体部の位置を調節する位置調節部と、を備え、
該位置調節部は、眼鏡本体に繋がる側の端部の辺りを中心にして、塑性変形によって、前記パッド本体部に繋がる側の端部の位置を変更可能に構成されると共に、
前記パッド本体部は、前記位置調節部に繋がる側の端部の辺りを中心にして、塑性変形によって、該位置調節部に繋がる側とは反対側の端部の位置を変更可能に構成されることを特徴とする。
【０００９】
本発明によれば、パッド本体部を、その一端側の辺りを中心にして、他端側の位置を変更することができる。しかも、位置調節部が備えられることによって、パッド本体部における位置変更の中心位置自体をも変更できる。従って、鼻の大きさや鼻梁の形に応じて、
単にパッドの位置を調節をできるだけでなく、パッドにおける鼻に接する部分の位置をも調節することができる。
【００１０】
前記位置調節部は、前記パッド本体部に繋がる側の端部の位置を、眼鏡本体に対して近づけたり遠ざけたりする方向に変更することができ、かつ、該眼鏡本体に対して近づけたり遠ざけたりする方向に垂直な方向に対しても変更できるように構成されるとよい。
【００１１】
こうすることで、鼻の高さ方向に対しても、鼻の幅方向に対しても、位置調節部の位置を調節することができる。
【００１２】
前記パッド本体部は、前記位置調節部に繋がる側とは反対側の端部の位置を、前記位置調節部に対して近づけたり遠ざけたりする方向に変更することができ、かつ、該位置調節部に対して近づけたり遠ざけたりする方向に垂直な方向に対しても変更できるように構成されることも好適である。
【００１３】
こうすることで、鼻の高さ方向に対しても、鼻の幅方向に対しても、パッド本体部の位置を調節することができる。
【００１４】
前記パッド本体部は、該パッド本体部と前記位置調節部とが繋がる部分付近の塑性変形によって、該パッド本体部の側面が、眼鏡本体に対して近づけたり遠ざけたりする方向に傾けることができるように構成されるとよい。
【００１５】
こうすることで、パッド本体部を鼻の傾き方向に位置調節することができる。
【００１６】
前記位置調節部は、位置調節部自体が塑性変形可能に構成されるとよい。
【００１７】
これにより、より変化に富んだ位置調節を行うことが可能となる。
【００１８】
前記パッド本体部は、パッド本体部自体が塑性変形可能に構成されるとよい。
【００１９】
これにより、パッド本体部の形状を変化させることができ、様々な鼻梁の形状に対してフィット性を高めることができる。
【００２０】
直線的な部分と、この直線的な部分の端部からＵ字状に折れ曲がり曲線的に湾曲した部分とを有する線状のしん材と、
該しん材における前記直線的な部分と湾曲した部分とを内部に埋め込むようにして設けられる樹脂部材と、を備えており、
前記樹脂部材のうち前記しん材の直線的な部分を内部に埋め込んだ部分が前記位置調節部を構成すると共に、
前記樹脂部材のうち前記しん材の湾曲した部分を内部に埋め込んだ部分が前記パッド本体部を構成するとよい。
【００２１】
こうすることで、樹脂により構成された位置調節部やパッド本体部が塑性変形し難くても、しん材が塑性変形することで、位置調節部やパッド本体部を、見かけ上、塑性変形させることが可能となる。
【００２２】
なお、上記各構成は、可能な限り組み合わせて採用し得る。
【発明の効果】
【００２３】
以上説明したように、本発明によれば、汎用性に優れ、眼鏡をかけた際の鼻に対するフ
ィット性を向上させることができる。
【発明を実施するための最良の形態】
【００２４】
以下に図面を参照して、この発明を実施するための最良の形態を、実施例に基づいて例示的に詳しく説明する。ただし、この実施例に記載されている構成部品の寸法、材質、形状、その相対配置などは、特に特定的な記載がない限りは、この発明の範囲をそれらのみに限定する趣旨のものではない。
【００２５】
（実施例）
図１〜図１０を参照して、本発明の実施例に係るパッドについて説明する。
【００２６】
＜眼鏡＞
図１を参照して、本発明の実施例に係るパッドが適用される眼鏡について説明する。図１は本発明の実施例に係るパッドが適用される眼鏡の裏面図の一部である。なお、図１においては、フロントの中央付近のみを部分的に示している。
【００２７】
図示のように、眼鏡２００は、一対のレンズ７０と、各レンズ７０をそれぞれ保持する一対のリム５０と、一対のリム５０を連結するブリッジ６０とを備えている。そして、各リム５０に対して、それぞれパッド１００が設けられている。なお、図１に示す例では、リムに対してパッドを設ける場合の例を示したが、ブリッジやレンズ（リムレス眼鏡の場合など）に対してパッドを設けることも可能である。
【００２８】
パッド１００は、図示のように、左右に一対設けられており、眼鏡２００をかけた際に、鼻の両側の鼻梁の部分にそれぞれ接することによって、眼鏡２００を支えるためのものである。
【００２９】
＜パッドの構成＞
特に、図２及び図３を参照して、本発明の実施例に係るパッドの構成について説明する。図２は本発明の実施例に係るパッドを側面側から見た外観図である。なお、図２においては、一部内部を透視して示している。図３は本発明の実施例に係るパッドにおける樹脂部材の外観図である。なお、図３（Ａ）は側面側から見た外観図であり、図３（Ｂ）は上面側から見た外観図であり、図３（Ｃ）は正面側から見た外観図である。
【００３０】
パッド１００は、例えばチタンなどの金属でできた線状のしん材１０と、樹脂材から構成される樹脂部材２０とを備えている。ここで、パッド１００は、一般的な成形技術によって製作することができる。例えば、しん材１０をインサート部品としてインサート成形によってパッド１００を製作することができるし、樹脂部材２０を成形した後にしん材１００を樹脂部材２０の内部に埋め込んでパッド１００を製作することもできる。また、シート貼り合わせ加工によってパッド１００を製作することも可能である。この場合には、所望の形に切断した２枚の板状の樹脂材に溶剤を塗布し、これら２枚の樹脂材の間にしん材１０を挟み込むようにして、熱と圧力をかけて接着し、その後、スリット加工や外形を整える加工を施すことでパッド１００を製作することができる。
【００３１】
しん材１０は、一端側の一部分を除き、樹脂部材２０の内部に埋め込まれている。そして、しん材１０には、樹脂部材２０から露出した一端部に、眼鏡本体側の部材（ここでは、リム５０）に固定される固定部１１が設けられている。また、しん材１０には、固定部１１の付近で約９０°折り曲げられた部分から、直線的に伸びた直線部１２が設けられている。更に、しん材１０には、この直線部１２の端部からＵ字状に折れ曲がったＵ字形状部１３と、このＵ字形状部１３よりも先端側に設けられ、曲線的に湾曲した湾曲部１４とが設けられている。
【００３２】
また、このしん材１０は、一定以上の外力を加えることによって、塑性変形できるように構成されている。
【００３３】
樹脂部材２０は、鼻に接するパッド本体部２２と、パッド本体部２２と眼鏡本体との間に設けられ、パッド本体部２２の位置を調節する位置調節部２１とを備えている。
【００３４】
パッド本体部２２は、図２に示すように、しん材１０における湾曲部１４を内部に埋め込んだ部分である。また、位置調節部２１は、図２に示すように、しん材１０における直線部１２を内部に埋め込んだ部分である。そして、パッド本体部２２と位置調節部２１は、図２に示すように、しん材１０におけるＵ字形状部１３を内部に埋め込んだ部分によって繋がっている。
【００３５】
ここで、樹脂部材２０自体が、殆ど塑性変形する性質を有していないとしても、内部にしん材１０が設けられているため、しん材１０を塑性変形させることによって、見かけ上、樹脂部材２０も塑性変形させることができる。
【００３６】
これにより、位置調節部２１とパッド本体部２２の少なくともいずれか一方を塑性変形させることによって、パッド１００の位置を調節したり、形状を変化させたりすることができる。この点について、以下、詳細に説明する。
【００３７】
＜パッドの位置調節＞
図４〜図６を参照して、パッドの位置調節の手順について説明する。図４は本発明の実施例に係る樹脂部材を側面側から見た塑性変形の様子を示す外観図である。図５は本発明の実施例に係る樹脂部材を上面側から見た塑性変形の様子を示す外観図である。図６は本発明の実施例に係る樹脂部材を正面側から見た塑性変形の様子を示す外観図である。
【００３８】
まず、図４を参照して、パッド１００の正面方向に対して、位置調節部２１やパッド本体部２２を塑性変形させる手順について説明する。なお、図４（Ａ）は塑性変形を行っていない状態を示している。
【００３９】
位置調節部２１は、眼鏡本体に繋がる側の端部の辺り（しん材１０における固定部１１の付近で約９０°折り曲げられた部分の辺り）Ｏ１を中心にして、パッド本体部２２に繋がる側の端部を図４（Ｂ）中矢印Ｒ１方向に回転させることができる。これにより、位置調節部２１におけるパッド本体部２２に繋がる側の端部の位置を、眼鏡本体に対して近づけたり遠ざけたりする方向に変更することができる。このような位置調節手順を、説明の便宜上、以下、位置調節手順Ａ１と称する。
【００４０】
また、パッド本体部２２は、位置調節部２１に繋がる側の端部の辺り（しん材１０におけるＵ字形状部１３の辺り）Ｏ２を中心にして、位置調節部２１に繋がる側とは反対側の端部を図４（Ｃ）中矢印Ｒ２方向に回転させることができる。これにより、パッド本体部２２における位置調節部２１に繋がる側とは反対側の端部の位置を、位置調節部２１に対して近づけたり遠ざけたりする方向に変更することができる。このような位置調節手順を、説明の便宜上、以下、位置調節手順Ａ２と称する。
【００４１】
更に、位置調節手順Ａ１と位置調節手順Ａ２とを組み合わせることもできる（図４（Ｄ）参照）。
【００４２】
以上のような、位置調節手順Ａ１，位置調節手順Ａ２、及びこれらの組み合わせによって、主として、眼鏡をかけた際における眼鏡本体と鼻や目との距離を調節することができ
る。
【００４３】
次に、図５を参照して、パッド本体部２２の側面を眼鏡本体に対して近づけたり遠ざけたりする方向に、パッド本体部２２を塑性変形させる手順について説明する。なお、図５（Ａ）は塑性変形を行っていない状態を示している。
【００４４】
パッド本体部２２は、位置調節部２１に繋がる側の端部の辺り（しん材１０におけるＵ字形状部１３の辺り）Ｏ３を曲げることによって、パッド本体部２２全体を、図５（Ｂ）中矢印Ｒ３方向に回転させることができる。これにより、パッド本体部２２の側面を眼鏡本体に対して近づけたり遠ざけたりする方向に、パッド本体部２２を傾けることができる。このような位置調節手順を、説明の便宜上、以下、位置調節手順Ｂと称する。
【００４５】
以上のような位置調節手順Ｂによって、主として、眼鏡をかけた際において、上面側から見た方向における鼻の傾きにパッドをフィットさせる調節を行うことができる。
【００４６】
次に、図６を参照して、パッド１００の側面方向に対して、位置調節部２１やパッド本体部２２を塑性変形させる手順について説明する。なお、図６（Ａ）は塑性変形を行っていない状態を示している。
【００４７】
位置調節部２１は、眼鏡本体に繋がる側の端部の辺り（しん材１０における固定部１１の付近で約９０°折り曲げられた部分の辺り）Ｏ４を中心にして、パッド本体部２２に繋がる側の端部を図６（Ｂ）中矢印Ｒ４方向に回転させることができる。これにより、位置調節部２１におけるパッド本体部２２に繋がる側の端部の位置を、眼鏡本体に対して近づけたり遠ざけたりする方向に垂直な方向に変更することができる。このような位置調節手順を、説明の便宜上、以下、位置調節手順Ｃ１と称する。
【００４８】
また、パッド本体部２２は、位置調節部２１に繋がる側の端部の辺り（しん材１０におけるＵ字形状部１３の辺り）Ｏ５を中心にして、位置調節部２１に繋がる側とは反対側の端部を図６（Ｃ）中矢印Ｒ５方向に回転させることができる。これにより、パッド本体部２２における位置調節部２１に繋がる側とは反対側の端部の位置を、位置調節部２１に対して近づけたり遠ざけたりする方向に垂直な方向に変更することができる。このような位置調節手順を、説明の便宜上、以下、位置調節手順Ｃ２と称する。
【００４９】
更に、位置調節手順Ｃ１と位置調節手順Ｃ２とを組み合わせることもできる（図６（Ｄ）参照）。
【００５０】
以上のような、位置調節手順Ｃ１，位置調節手順Ｃ２、及びこれらの組み合わせによって、主として、眼鏡をかけた際において、正面側から見た方向における鼻の傾きにパッドをフィットさせる調節を行うことができる。
【００５１】
＜パッド形状の変化＞
図７を参照して、パッド形状の変化について説明する。図７は本発明の実施例に係る樹脂部材の形状を塑性変形により変化させた様子を示す外観図である。なお、図７（Ａ）はパッド形状を変化させていない状態における樹脂部材の側面図であり、図７（Ｂ）はパッド形状を変化させていない状態における樹脂部材の上面図であり、図７（Ｃ）はパッド形状を変化させていない状態における樹脂部材の正面図である。また、図７（Ｂ１）（Ｂ２）は、パッド形状を変化させた場合における樹脂部材の上面図である。また、図７（Ｃ１）〜（Ｃ４）は、パッド形状を変化させた場合における樹脂部材の正面図である。
【００５２】
本実施例においては、しん材１０における直線部１２を塑性変形させることによって、
位置調節部２１の形状を変化させることができる。また、しん材１０における湾曲部１４を塑性変形させることによって、パッド本体部２２の形状を変化させることができる。従って、図７に示すように、パッド１００（樹脂部材２０）全体を様々な形状に変化させることができる。
【００５３】
このように、位置調節部２１やパッド本体部２２の形状を変化させることができるので、より変化に富んだ位置調節を行うことができ、かつ、様々な鼻梁の形状に対して、フィット性を高めることができる。
【００５４】
＜パッド調節の具体例＞
図８及び図９を参照して、パッドを調節する際のより具体的な手順を説明する。図８は顔を上面側から見た場合におけるパッドの調節手順を示す概略図である。図９は顔を正面側から見た場合におけるパッドの調節手順を示す概略図である。なお、図８及び図９においては、目と鼻とパッドの位置関係を概略的に示している。
【００５５】
図８（Ａ）は鼻が低い場合を示し、図８（Ｂ）は鼻が高い場合を示している。図８に示すように、眼鏡本体と鼻や目との距離Ｈを調節するためには、位置調節手順Ａ１，位置調節手順Ａ２、及びこれらの組み合わせによりパッド１００における位置調節部２１とパッド本体部２２のうちの少なくともいずれか一方を塑性変形させれば良い。そして、上面側から見た鼻の傾斜角度Ｓに適合させるように調節するためには、位置調整手順Ｂによってパッド１００における特にパッド本体部２２を塑性変形させれば良い。
【００５６】
図９（Ａ）は鼻幅が狭い場合を示し、図９（Ｂ）は鼻幅が広い場合を示している。図９に示すように、鼻幅Ｗに適合させるように調節するためには、位置調節手順Ｃ１によって位置調節部２１を塑性変形させれば良い。また、正面側から見た鼻の傾斜角度Ｔに適合させるように調節するためには、位置調節手順Ｃ２によってパッド本体部２２を塑性変形させれば良い。
【００５７】
なお、鼻梁の形状に対しては、上記の通り、位置調節部２１やパッド本体部２２の形状を変化させれば良い。
【００５８】
＜本実施例の優れた点＞
以上のように、本実施例に係るパッド１００によれば、鼻に接するパッド本体部２２の位置をあらゆる方向に調節することができ、かつ、パッド本体部２２の形状を様々な形に変更することができる。これにより、様々な鼻の高さ，鼻幅及び鼻梁の形状に対して所望の状態でパッド本体部２２が接するようにさせることが可能となる。
【００５９】
特に、本実施例に係るパッド１００によれば、単に、鼻の高さや鼻幅などに合わせて、パッド１００を鼻に接するようにすることが可能というだけでなく、パッドの鼻に対する接し方を調節できる点で優れている。この点について、図１０及び図１１を参照して説明する。
【００６０】
具体的な例として、鼻梁の形状が同じで鼻幅が異なる場合について、本実施例の場合と従来例の場合とを比較して説明する。図１０は本発明の実施例に係るパッドを正面から見た場合における調節例を示す概略図である。図１１は従来例に係るパッドを正面から見た場合における調節例を示す概略図である。
【００６１】
上述した各種位置調節手順から分かるように、本実施例に係るパッド１００によれば、位置調節部２１を塑性変形させることによって、パッド本体部２２における位置調節の基準となる位置（位置調節部２１に繋がる側の端部の辺りの位置）を変更することができる
。これにより、パッド本体部２２の鼻に対する接し方を調節することができる。
【００６２】
例えば、位置調節手順Ｃ１，位置調節手順Ｃ２、及びこれらの組み合わせによって、見かけ上、パッド本体部２２の形状を一定に保ったまま、パッド本体部２２を平行にスライドさせることができる。つまり、パッド本体部２２の形状を、図１０（Ａ）に示すようにしたい場合であって、その位置を平行にスライドさせたい場合、まず、位置調節手順Ｃ１によって、パッド本体部２２の位置をスライドさせる（図１０（Ｂ）中矢印Ｘ）。このままでは、パッド本体部２２の位置は変更されるものの、その傾きが変わってしまうので、位置調節手順Ｃ２によってパッド本体部２２を回転させる（図１０（Ｂ）中矢印Ｑ）。このようにして、見かけ上、パッド本体部２２の形状を一定に保ったまま、パッド本体部２２を平行にスライドさせることができる（図１０（Ｂ）中矢印Ｙ）。
【００６３】
これに対して、特許文献１，２に示すような従来技術の場合には、上記のような調節を行うことができない。
【００６４】
すなわち、図１１（Ａ）に示すように、特許文献１に開示された技術の場合には、パッド足の部分を塑性変形させることで、パッド３００の位置を微調整することができる。しかし、パッド３００は、パッド足との接点付近Ｏ１０を中心にして揺動させるようにしかその位置を変更させることができない（矢印Ｒ１０参照）。
【００６５】
また、図１１（Ｂ）に示すように、特許文献２に開示された技術の場合には、パッド４００を首振りさせることができる。しかし、この技術の場合においても、パッド４００は、パッド足の先端付近Ｏ２０を中心にして首を振らせることしかできない（矢印Ｒ２０参照）。
【００６６】
このように、いずれの従来技術においても、パッドの位置を変更する基準となる位置自体は変わらないため、上述のように、パッドの形状を一定に保ったまま平行にスライドさせるような調節を行うことはできない。
【００６７】
以上のように、本実施例に係るパッド１００は極めて汎用性に優れたものであり、また、本実施例に係るパッド１００によれば、眼鏡をかけた際の鼻に対するフィット性を向上させることができる。
【図面の簡単な説明】
【００６８】
【図１】図１は本発明の実施例に係るパッドが適用される眼鏡の裏面図の一部である。
【図２】図２は本発明の実施例に係るパッドを側面側から見た外観図である。
【図３】図３は本発明の実施例に係るパッドにおける樹脂部材の外観図である。
【図４】図４は本発明の実施例に係る樹脂部材を側面側から見た塑性変形の様子を示す外観図である。
【図５】図５は本発明の実施例に係る樹脂部材を上面側から見た塑性変形の様子を示す外観図である。
【図６】図６は本発明の実施例に係る樹脂部材を正面側から見た塑性変形の様子を示す外観図である。
【図７】図７は本発明の実施例に係る樹脂部材の形状を塑性変形により変化させた様子を示す外観図である。
【図８】図８は顔を上面側から見た場合におけるパッドの調節手順を示す概略図である。
【図９】図９は顔を正面側から見た場合におけるパッドの調節手順を示す概略図である。
【図１０】図１０は本発明の実施例に係るパッドを正面から見た場合における調節例を示す概略図である。
【図１１】図１１は従来例に係るパッドを正面から見た場合における調節例を示す概略図である。
【符号の説明】
【００６９】
１０  しん材
１１  固定部
１２  直線部
１３  Ｕ字形状部
１４  湾曲部
２０  樹脂部材
２１  位置調節部
２２  パッド本体部
５０  リム
６０  ブリッジ
７０  レンズ
１００  パッド
２００  眼鏡
【図１】
2008145531.tif 000003
【図２】
2008145531.tif 000004
【図３】
2008145531.tif 000005
【図４】
2008145531.tif 000006
【図５】
2008145531.tif 000007
【図６】
2008145531.tif 000008
【図７】
2008145531.tif 000009
【図８】
2008145531.tif 000010
【図９】
2008145531.tif 000011
【図１０】
2008145531.tif 000012
【図１１】
2008145531.tif 000013